Podtech/llm-jp-corpus-v4-ja_patent huggingface dataset:
(57)【要約】      （修正有）【課題】販売促進のためのプロモーショングッズとしてイベント会場等で配布した際に、販売促進物としての有用性をより高めるため一般的なうちわとは異なる独自性のある扇ぎ方で風を起こす穴あきうちわを提供する。【解決手段】弾力性のあるプラスチックシートを打ち抜いて形成し、手のひらに最下端部４を当て、親指以外の指を下部に形成された穴６に入れ、その指で屈伸を繰り返し、材料が持つしならせると戻ろうとする反発力を利用して風を起こすことにより実現する。【選択図】図１
0003212999.tif 000002
【実用新案登録請求の範囲】
【請求項１】
最下端部4を手のひらに当て、親指を除く４本または３本の指を入れて保持できる楕円形の開閉式の穴6を備え、親指を除く３本または４本の指の屈伸運動により、うちわ本体を湾曲させたり戻したりを繰り返し、風を起こすことを特長とする穴あきうちわ。
【請求項２】
保持する際に、最下端部4が折筋5により手前側に折れ曲がる構造を備えることにより、手のひらに当てる辺を最下端部4から折筋5にすることが可能であり、手に当たる辺から折筋3までの寸法を短くすることにより手の小さな人でも持ちやすくできる機能を備えた請求項１の穴あきうちわ。
【考案の詳細な説明】
【技術分野】
【０００１】
本考案は指を使って扇ぐうちわに関するものである。
【背景技術】
【０００２】
紙やプラスチックシート製のうちわの下部に穴を開け、その穴に指を通して保持し扇ぐものは従来からあり、一般的に広く使用されている。
【考案の概要】
【考案が解決しようとする課題】
【０００３】
従来の紙又はプラスチックシート製の穴あきうちわの多くは、手に持ち腕を振って風を起こすのが一般的である。扇いで風をおこすための動作においては普遍的なものがあるが、うちわは例えばイベント会場等で販売促進のためのプロモーショングッズとして配布する等の使い方が多いため、うちわのとしての機能の他に販促物としての有用性をより高めるための独自性のある使い方が必要とされていた。
【課題を解決するための手段】
【０００４】
前記の課題を解決するため本考案は以下に記す通り構成する。
請求項１に記載した考案の扇ぎ方を実現するために、材質は弾力のあるプラスチック製のシートを使用する。
最下端部を手のひら当て本体下部に設けられた穴に指を入れ保持する構造のため、持つための柄を付ける必要は無く、打抜き加工されたプラスチックシート１枚のみの構成となる。プラスチックシートを用いる理由としては、しならせると戻ろうとする反発力を持っている点が挙げられる。請求項１に記載の扇ぎ方を実現するためには、指の屈伸運動に伴い元の状態に戻ろうとする反発力が不可欠であるため、反発力が弱く折れ曲がってしまう紙では実現が困難である。
請求項１に記載した扇ぎ方を実現するためには屈伸運動をするのに最適な持ち方にて保持する必要がある。そのために、手のひらのほぼ上下中央の位置に最下端部を当て、指を軽く曲げた状態で親指を除く3〜４本の指の第一関節が入る位の位置に小判形の穴を形成するための切込を形成する。切込は下辺が本体と繋がっており、使用時に手前側に約９０度折り曲げ、入れた指先をその上に乗せ保持する。手が小さく持つのが困難な場合には、本体下部に形成された折筋を手前側に折曲げることにより、手にひらにあてる辺から穴までの距離を短くすることができる。
扇ぎ方は、手のひらに当てられた最下端部を支点として、親指以外の４本または３本の指を屈伸させ、本体を湾曲させる、伸ばすを繰り返し風を起こす。
【考案の効果】
【０００５】
本考案の指の屈伸で扇ぐ穴あきうちわでは、本体の最下端部を手のひらに当て、下部に設けられた開口部に親指以外の指を入れ、手のひらを自身に向けて親指以外の指を屈伸することにより風を起こす。従って、一般的な穴あきうちわとは全く扇ぎ方が異なり、独自性のある扇ぎ方がプロモーショングッズとしてより高い宣伝効果を生み出すことが想定される。
【図面の簡単な説明】
【０００６】
【図１】本考案の平面図
【図２】本考案を側面から見た図
【図３】本考案を保持した状態を側面から見た図
【図４】本考案を扇ぐ状態を側面から見た図
【図５】本考案を保持する状態を正面から見た図
【考案を実施するための形態】
【０００７】
以下、本考案の形態を図に基づいて説明する。
【実施例】
【０００８】
図１はプラスチックシートを打抜いて形成された本考案の穴あきうちわである。図１の示す通り大小の円形及び弓形を組み合わせ雫を逆さにしたような形状であって、小さいほうの弓形部分が下になる。最下端部4は手のひらに当てた時に痛くないよう丸みを帯びた形状となっており、小さな手でも保持ができ扇ぎやすくするための折筋5が形成されている。その他、親指以外の指を入れるための穴6を形成するための小判型の切込2が形成されており、下辺3は折筋加工されているため容易に折り曲げることが可能であって、切込2を折り曲げることにより出来た穴６に入れた指の屈伸をするために、図3及び図5に示す通り入れた指を置く場所として使用する。
扇ぎ方は図3と図4の示す動作を繰り返し、親指以外の4本あるいは3本の指の屈伸によって、プラスチックシートが持つ、しならせると元に戻ろうとする反発力を利用し風を起こす。保持する際に、手が小さく持ちにくい、扇ぎにくいといった場合は折筋5を手前に折ることにより、手のひらに当たる辺が最下端部4では無く、折筋５の辺になるため下辺3までの距離が短くなり持ちやすくなる。
【符号の説明】
【０００９】
１  指の屈伸で扇ぐ穴あきうちわ
２  切込
３  折筋
４  最下端部
５  折筋
６  穴
【図１】
0003212999.tif 000003
【図２】
0003212999.tif 000004
【図３】
0003212999.tif 000005
【図４】
0003212999.tif 000006
【図５】
0003212999.tif 000007
(57)【要約】      （修正有）【課題】テレビのフロントキャビネット前に置くパネルで、設置が容易で、折りたたみ可能な自立型のテレビ用スタンドパネルを提供する。【解決手段】厚紙またはプラスチック等の素材からなるパネル１で、かつフロントキャビネットに相応した大きさを有し、中央下辺部に凹部２を有し、開閉自在の屏風状であり、脚４またはマチ５等があり、自立し、折りたたみ可能な構造で、テレビと一体となり、かつ折りたたんで束ねるための固定バンドのついたことを特徴とする。【選択図】図１
0003212944.tif 000002
【実用新案登録請求の範囲】
【請求項１】
テレビのフロントキャビネット部を覆うことのできる大きさを有する厚紙またはプラスチック等の素材からなるパネルで、かつ中央下辺部にテレビの画面より前にでているテレビ本体を支持する支持台にぶつからない程度の空間として凹部を有することを特徴とするテレビ用スタンドパネル
【請求項２】
前記パネルが、複数枚のパネルが接辺部を粘着テープでつなげられているか、または厚紙を折り曲げた開閉自在の屏風状となっており、かつ自立し折りたたみ収納が可能な構造であることを特徴とする請求項１記載のテレビ用スタンドパネル
【請求項３】
前記パネルの片面に装飾が施され、反対側の裏面には、収納時に固定し、かつテレビ本体に引っ掛け固定するためのゴム紐、またはベルトを備えることを特徴とする請求項１または請求項２に記載のテレビ用スタンド装飾パネル
【請求項４】
前記パネルの両脇の下辺部に倒れることを防止するための、脚またはマチ、または重しを備えることを特徴とした請求項１から請求項３のうちのいずれか１項に記載のテレビ用スタンド装飾パネル
【考案の詳細な説明】
【技術分野】
【０００１】本考案は、テレビを見ていないときに、テレビ付近を加飾し、コーディネートの一つとして彩を与え、テレビを見ているときは外してコンパクトに収納できるテレビ用スタンドパネルに関する
【技術背景】
【０００２】従来のテレビの装飾具としてはテレビに直接貼着させるテレビ用装飾パネルや額状のモニターテレビ装飾具、引っ掛け取り付ける構造で構成されている。
【０００３】しかしながら、上記のものはすべてモニターの支持部分に装飾品の重みがかかる構造であり、重みが加わる事でテレビのバランスが崩れ転倒する、支持部分の破損の危険といった欠点があった。
【特許文献】
【０００４】
【特許文献１】Ｕ−３０７３２９３  テレビ用装飾パネル
【特許文献２】Ｕ−３００３３６７  モニターテレビ装飾
【特許文献３】Ｕ−３１３２４６１  液晶テレビ画面用カバー
【考案の概要】
【考案が解決しようとする課題】
【０００５】本考案は、以上のような従来の欠点に鑑み、軽くて簡単に取り外せ、テレビに負荷がほとんどかからないテレビ用スタンドパネルの提供を目的としている。
【課題を解決するための手段】
【０００６】上記目的を達成するために、本考案はテレビのフロントキャビネット部を覆うことのできる大きさを有するパネルで、かつ中央下辺部に、テレビの画面より前に出ているテレビ本体の支持台にぶつからない程度の空間として凹部を有するのでテレビの前に立てることができ、パネルは板をつなぎ合わせ接辺を折り開閉自在にすることで、折りたたみができ、さらにバンドをつけ下辺部に脚またはマチ等を造設することで、立てた際の安定感も高くなるよう形成されたテレビ用スタンドパネルを構成している。
【考案の効果】
【０００７】以上の説明から明らかなように、本考案にあっては、次に列挙する効果が得られる
（１）パネル自体が自立しているので、テレビのモニター支持部への負荷をほとんどかけ      ずに利用できる【０００８】（２）屏風状の形にし、バンドをテレビに引っ掛け、下辺部に脚またはマチ等を造設する      ことで、立てた際の安定感が高くなり、倒れにくくなる【０００９】（３）パネルを小さく折りたたむことができるので、テレビを見ていないときに場所をと      らないことが可能となる【００１０】（４）軽い素材で作ることができる。
したがって、安価で多量に生産することが可能になる。【００１１】（５）フロントキャビネットの大きさが合えば置き型のどんな薄型テレビにも利用が可能      である。
【図面の簡単な説明】
【００１２】
【図１】本考案を実施するための最良の形態のテレビ用スタンドパネルの全体図
【図２】参考として本考案に係るテレビ用スタンドパネルの裏面図
【図３】参考として本考案に係る実施するためのテレビ用スタンドパネル下辺部の斜視図である
【考案を実施するための形態】
【００１３】以下、本考案の実施例の形態を図に基づいて説明する。
【実施例】
【００１４】図１は、本考案の全体図であって、このように開いている状態でテレビの前に置き利用する。【００１５】図２は、本考案の裏面図であって、パネルは厚紙またはプラスチック等の素材からなり、開閉自在の屏風状であり、折りたたみ可動である。（２）が凹部となっており、テレビの前に出ている支持台にぶつからない程度の空間となっている。【００１６】図３は、パネルの下辺部の斜視図である。（４）の脚があることで前に倒れないようになっており、（５）がマチの部分であり、後ろや前に倒れないように支持している。
【産業上の利用可能性】
【００１７】テレビはどの家庭にも置かれるほど普及しているが、そのほとんどは何の加飾もされていないが、本考案は色々なデザインのものを安価に多量に生産できることから、テレビを購入した人がそれに合わせて購入することはもちろんのこと、色々な種類のものを複数購入してもらうことが期待される。
【符号の説明】
【００１８】（１）パネル
（２）凹部
（３）接線
（４）脚
（５）マチ
（６）テレビ本体に引っ掛け固定するベルト
【図１】
0003212944.tif 000003
【図２】
0003212944.tif 000004
【図３】
0003212944.tif 000005
(57)【要約】      （修正有）【課題】支払い時に困惑せずスムーズな支払いができ、また、嵩張る硬貨を少なくすることができる財布を提供する。【解決手段】札収納部６と硬貨収納部５及びカード収納部７を有し、札収納部６と硬貨収納部５に同じ種類の札や硬貨の仕分けを視認し得るラベルや印字を備えて、一目で使用札や硬貨が分かり、札や硬貨の金額数字４、３と絵柄３を札収納部６と硬貨収納部５にラベルや印字をすることにより、日本円と米ドルの金額数字の照合は勿論、絵柄との図合わせをしてスムーズな使用札、硬貨の支払いと収納仕分けをすることができる。上記の構成における財布を使用すれば、支払い分の小銭を容易に取り出すことができ、支払い時の時間短縮及び硬貨の流動性を高められる。【選択図】図１
0003212920.tif 000002
【実用新案登録請求の範囲】
【請求項１】
硬貨収納部と紙幣収納部及びカード収納部を有し、収納部の内側に紙幣収納部と共にカード収納部をポケット状に設け、小銭入れの受け口を図１のようにし，硬貨収納部の主開閉Ｌ字型チャックの内側に硬貨収納部内の硬貨仕分けを視認し得るラベルを備えて一目で使用硬貨が分かる硬貨の金額数字と絵柄を硬貨収納部入口へ印字することにより、金額数字の照合は勿論、絵柄との図合わせをしてスムーズな使用硬貨の支払いと仕分けをすることができることを特徴とした財布。
【考案の詳細な説明】
【技術分野】
【０００１】外貨使用時に通貨単位が違うため
【背景技術】
【０００２】米ドル通貨圏での支払いに慣れていない人は硬貨を使用するとき、支払い時に困惑してレジで時間が掛かってしまい、スムーズな支払いをするためには慣れがいる。【０００３】この改善策として外貨の単位を分かり易く表示し、レジでの支払いの時間短縮及びスムーズな支払いをすることができる方法がある。
【考案の概要】
【考案が解決しようとする課題】
【０００４】解決する問題点は外貨単位の理解と為替レートの計算を速やかに行うことにある。
【課題を解決するための手段】
【０００５】本考案は、外貨単位を為替レートの円相場において１ドル＝１００円と計算することにより札や硬貨の計算を日本で円の計算の感覚に近づけて、物価を分かり易くする。
【考案の効果】
【０００６】本考案は、支払い時に困惑せずスムーズな支払い及び嵩張る硬貨を少なくすることにある。
【図面の簡単な説明】
【０００７】
【図１】は硬貨、札、カードが収納できる財布の全体図と硬貨収納部の拡大図であり、硬貨、札、カードを取り出しやすく、仕訳け収納しやすくする実施方法を示した説明図である。（実施例１）他に財布斜視図と正面図も記載する。
【考案を実施するための形態】
【０００８】財布本来の出納という使用形態は変えずに、札、硬貨、カードの仕訳け収納及び取り出しやすさを実現したものである。
【実施例１】
【０００９】［図１］は、本考案の各部名称で、符号１＝財布フラップ、２＝仕切り、３＝硬貨マーク及び金額と名称、４＝札金額、５＝硬貨収納部、６＝札収納部、７＝カード収納部、８＝Ｌ字型チャックである。【００１０】［図１］のＡ点は、財布に硬貨を収納する際に図柄もしくは金額で仕訳けが出来るようになっており、金額もドル硬貨と日本円で記載してある。各硬貨の単位及び図柄（ペニー、ニッケル、ダイム、クォーター）のニックネーム柄でも仕訳けが可能になっていて図柄合わせをすることにより、初心者や未成年者でも仕訳けが可能となっている。
また硬貨支払い時の計算を為替レートの円相場において１ドル＝１００円と計算することにより硬貨の計算を２５セント＝２５円、１０セント＝１０円、５セント＝５円、１セント＝１円と計算がしやすくなっている。【００１１】［図１］のＢ点は、財布に札を収納する際にチップの習慣がある国用に１ドル、５ドル紙幣を手前の収納部に入れ、そこにも硬貨収納部と同じように金額をドルと日本円で記載してあり、日本円への概略的計算がしやすくなっていて、チップやサービス料といった金額を計算しやすくしている。
【符号の説明】
【００１２】１＝財布フラップ（蓋）
２＝仕切り
３＝硬貨マーク及び金額と名称
４＝札金額
５＝硬貨収納部
６＝札収納部
７＝カード収納部
８＝Ｌ字型チャック
【図１】
0003212920.tif 000003
【手続補正書】
【提出日】平成29年4月7日(2017.4.7)
【手続補正１】
【補正対象書類名】実用新案登録請求の範囲
【補正対象項目名】全文
【補正方法】変更
【補正の内容】
【実用新案登録請求の範囲】
【請求項１】
硬貨収納部と紙幣収納部及びカード収納部を有し、硬貨収納部の受け口を図１−ｂのようにし、硬貨収納部の主開閉Ｌ字型チャックの内側に硬貨収納部内の硬貨仕分けを視認し得るラベルを備えて一目で使用硬貨が分かる硬貨の金額数字と絵柄を硬貨収納部入口へ印字することにより、金額数字の照合は勿論、絵柄との図合わせをしてスムーズな使用硬貨の支払いと仕分けをすることができることを特徴とした財布。
【手続補正書】
【提出日】平成29年7月13日(2017.7.13)
【手続補正１】
【補正対象書類名】実用新案登録請求の範囲
【補正対象項目名】全文
【補正方法】変更
【補正の内容】
【実用新案登録請求の範囲】
【請求項１】
紙幣収納部と硬貨収納部及びカード収納部を有し、紙幣収納部と硬貨収納部に同じ種類の紙幣や硬貨の仕分けを視認し得るラベルや印字を備えて、一目で使用紙幣や硬貨が分かり、紙幣や硬貨の金額数字と絵柄を紙幣収納部と硬貨収納部にラベルや印字をすることにより、日本円と米ドルの金額数字の照合は勿論、絵柄との図合わせをしてスムーズな使用紙幣、硬貨の支払いと収納仕分けをすることができることを特徴とした財布
(57)【要約】      （修正有）【課題】刷毛をペンキ液に浸す手間を省くことで作業効率が上がり、制作費用も安価なペンキ液内臓ローラー刷毛を提供する。【解決手段】ペンキ液収蔵タンク併用ローラー６の外周にペンキ液調節筒５を重ねて差し込み、さらに、その上に刷毛部４を取り付ける。作業は、ペンキ液収蔵タンクにペンキ液を充填し、ペンキ液収蔵タンク筒と調節筒５に取り付けたペンキ液調節器１１により、液の排出を調節しながら行う。ローラー部をペンキ液収蔵タンク併用とした事により、別容器に用意したペンキ液に刷毛部を浸すローラー刷毛に比べ、作業効率が上がる。【選択図】図２
0003212928.tif 000002
【実用新案登録請求の範囲】
【請求項１】
ペンキローラー刷毛のローラー部分をペンキ液収蔵タンクとし、その外周部に穿った排出腔と、別途当該タンク外周に差し込んだペンキ液調節筒に同様に穿った排出腔によってペンキ液の排出を調節して刷毛部に送り込み、タンク内のペンキ液が枯渇するまでペンキ液の補給を要しない事を特徴としたペンキ液内蔵ローラー刷毛
【考案の詳細な説明】
【技術分野】
【０００１】  本考案は、ローラー部分をペンキ液収蔵タンクとしたペンキローラー刷毛に関するものである。
【背景技術】
【０００２】  ペンキローラー刷毛は、別容器にペンキ液を用意し、ローラーをこれに浸して使用するものや、ポンプアップしてペンキ液を補給する大掛かりな機械装置によるものが主流であった。
【先行技術】
【特許文献】
【０００３】
【特許文献１】特開２００１−１４９８４９（Ｐ２００１−１４９８４９Ａ）
【考案の概容】
【考案が解決しようとする課題】
【０００４】  別容器にペンキ液を用意して作業するペンキローラー刷毛では、塗布する都度刷毛部にペンキ液の補給をしなければならない為、作業効率が悪く、一方上述の先行技術はペンキ液をポンプアップしてペンキ液を刷毛部に送り込む方法である為作業効率は上がるが、費用が高額となる為、本考案はこれらの欠点を解決しようとするものである。
【課題を解決する為の手段】
【０００５】  本考案は、ペンキローラー刷毛のローラー内をペンキ液収蔵タンクとし、これの外周にペンキ液調節筒を差し込み、ローラ部、調節筒両筒に設けたペンキ液排出腔の開閉によって収蔵タンクから排出するペンキ液の量を調節して刷毛部に送り込み、ペンキ液収蔵タンク内のペンキ液が枯渇するまでペンキ液の補給作業を省略する事が出来る為、作業効率は上り問題点を解決している。
【考案の効果】
【０００６】  上述のように、本考案のペンキ液内臓ローラー刷毛は、ローラー部分に設けたペンキ液収蔵タンクに蓄えたペンキ液が枯渇するまでペンキ液の補給を必要としない為作業効率は上がり、さらに器具制作費用も安価となり経済的にも効果的である。
【図面の簡単な説明】
【０００７】
【図１】本考案のペンキ液内臓ローラー刷毛を示す正面図と下図はアーム部分である。
【図２】上から本考案のペンキ液内臓ローラー刷毛の刷毛部、その下図がペンキ液調節筒、最下図がペンキ液内臓ローラー刷毛のローラー部である。
【図３】上から、ペンキ液内臓ローラー刷毛のローラー部の左側面図、その下図が同右側図、さらにその下図が調節筒左側面図、最下図が調節筒左側面に設置したラックである。
【考案を実施する為の形態】
【０００８】  タンクを内蔵したローラー部と、その外周部に差し込んだペンキ液調節筒の排出口並びに両器に設置したペンキ液排出調節器により、適量に調節されたペンキ液が刷毛部に供給される事により、タンク内のペンキ液が枯渇するまで続けてペンキの塗布作業が出来る。
【実施例】
【０００９】  以下、添付図面によって一実施例を説明する。
図Ｉはプラスチック等の適宜素材にて一体化形成されたペンキ液内臓ローラー刷毛本体、図１下図は本体を支持するアーム及び握り手の分解図である。図２は上からペンキローラーの刷毛部、中央が調節筒部、最下図がペンキ液内臓ローラー部のそれぞれの分解図である。【００１０】  図２に示す（６）に（５）（４）の順に差し込み、次に図１（１）に示す支持アームをタンク内に貫通するパイプに差し込みアームの先端に図１の留め具（２）と握り手（３）を取り付けた後、図２（１１）（１５）（１６）（１２）に示すペンキ液排出調節器により図２（１３）（１４）に示すペンキ排出腔を閉鎖した後、図３（１０）に示すペンキ液投入腔よりペンキ液を注入し蓋を閉めた後塗装作業に掛かる。
塗装作業の際には、上述のペンキ排出調節器によって刷毛部にペンキ液の排出量を調節しながら作業をする。【００１１】  本考案の一実施例は上述の如き構成からなり、本考案によって従来度々ペンキ液の補充を余儀なくされていたペンキローラー刷毛での塗布作業の効率を上げると共に、器具を安価に作成できる観点からも、先行技術であるポンプアップ式ペンキローラー等の重装備を必要としない利点がある。
【符号の説明】
【００１２】  １は支持アーム
２はペンキ液内臓ローラーの留め金具
３は支持アームの握り手
４は刷毛部
５はペンキ液調節筒
６はペンキ液内臓ローラー
７はペンキ液内臓ローラーの左側面
８はペンキ液調節筒の左側面
９はペンキ液内臓ローラーの中央部分を貫通する支持アーム用のパイプ
１０はペンキ液注入口及び蓋
１１はペンキ液内臓ローラー部のペンキ液調節器全容
１２はペンキ液調節筒部のペンキ液調節用ラック
１３はペンキ液内臓ローラーの四周に１０〜１４ヶづつ穿ったペンキ液排出腔
１４はペンキ調節筒に穿ったペンキ液内臓ローラーと合同するペンキ液排出腔
１５はペンキ液内臓ローラーの左側面に取り付けたペンキ液排出調節歯車
１６はペンキ液内臓ローラーの左側面に取り付けたペンキ液排出調節つまみ
【図１】
0003212928.tif 000003
【図２】
0003212928.tif 000004
【図３】
0003212928.tif 000005
(57)【要約】      （修正有）【課題】目視できない歯の磨き残しを軽減するデンタルミラーを提供する。【解決手段】口腔内に用いるデンタルミラーにおいて、鏡２の横にＬＥＤ１を付けることで、歯の裏側から光を照射でき、歯が透けて歯垢や着色汚れが浮いて見えるので綺麗に磨くことができる。【選択図】図１
0003212930.tif 000002
【実用新案登録請求の範囲】
【請求項１】
鏡の横にＬＥＤを付ける。
【考案の詳細な説明】
【技術分野】
【０００１】総合領域生活科学一般
【背景技術】
【０００２】口腔内をケアするとき、一番明るく見える角度で鏡に映して目視する際に首に負担がかかる。
【考案の概要】
【考案が解決しようとする課題】
【０００３】口腔内は暗く歯垢は白くて歯との区別ができにくいので、目視できない歯の磨き残しを軽減する。
【課題を解決するための手段】
【０００４】鏡の横にＬＥＤを付けること歯の裏側から光を照射でき歯が透けて歯垢や着色汚れが浮いて見えるので綺麗に磨くことができる。
【考案の効果】
【０００５】虫歯予防
【図面の簡単な説明】
【０００６】
【図１】全体図
【考案を実施するための形態】
【０００７】洗浄できるように防水が望ましい。
【符号の説明】
【０００８】１  ＬＥＤ
２  鏡
３  電源ボタン
【図１】
0003212930.tif 000003
【手続補正書】
【提出日】平成29年7月25日(2017.7.25)
【手続補正１】
【補正対象書類名】実用新案登録請求の範囲
【補正対象項目名】全文
【補正方法】変更
【補正の内容】
【実用新案登録請求の範囲】
【請求項１】
口腔内に用いるデンタルミラーにおいて、鏡の横にＬＥＤを付けることを特徴とするデンタルミラー。
(57)【要約】      （修正有）【課題】食品包装用ラップフイルムにおいて、箱の前面についたラップをはく離し、つまみ易くする。【解決手段】箱３の内部に接着して設けたテープ１を、箱の前面４まで延長し、このテープを引き上げてラップ２をはがし、つまみ易くする。【選択図】図１
0003212926.tif 000002
【実用新案登録請求の範囲】
【請求項１】
食品包装用ラップフイルムにおいて、ラップをつまんで引き出すためのテープを箱の前面に設けることを特徴とする。
【考案の詳細な説明】
【技術分野】
【０００１】  本考案は、食品包装用ラップフイルムにおいて、ラップをつまみ易くするテープと、その設置箇所に関する。
【背景技術】
【０００２】  食品包装用ラップフイルム（以下ラップ）が巻戻らないよう、箱の前面に滑り止め（粘着剤）が施されている。【０００３】  これにより、箱の前面とラップにすき間がなく、つまみにくいという欠点があった【０００４】  この欠点の解決方法として、箱の前面に凸凹部を設けすき間を作り、つまみ易くしたものがある。
【考案の概要】
【考案が解決しようとする課題】
【０００５】  前記、凸凹部とは違う、テープを利用してつまみ易くする事を目的とする。
【問題を解決するための手段】
【０００６】  本考案は、食品包装用ラップフイルムにおいて、箱の前面の裏より設けたテープを引き上げ、ラップをはがしつまみ易くすることで、上記課題を解決するものである。
【考案の効果】
【０００７】  箱の前面にテープを設ける、簡単な工程で、食品包装用ラップフイルムの使用がやさしく容易になる。
【図面の簡単な説明】
【０００８】
【図１】  食品包装用ラップフイルムにテープを設けた斜視図である。
【考案を実施するための形態】
【０００９】  食品包装用ラップフイルム３の箱の内側に固定したテープ１を、前面４へ放つ。
【００１０】  粘着部５で巻戻しを防いだラップ２を、箱の前面４からテープ１を引き上げはがし、指を差し入れ容易につまめるようにしたものである。
【符号の説明】
【００１１】  １  テープ
２  ラップ
３  食品包装用ラップフイルム
４  前面
５  粘着部
【図１】
0003212926.tif 000003
【手続補正書】
【提出日】平成29年7月25日(2017.7.25)
【手続補正１】
【補正対象書類名】実用新案登録請求の範囲
【補正対象項目名】全文
【補正方法】変更
【補正の内容】
【実用新案登録請求の範囲】
【請求項１】
食品包装用ラップフイルムにおいて、ラップをつまんで引き出すためのテ−プを箱の前面に設けることを特徴とする食品包装用ラップフイルム。
(57)【要約】      （修正有）【課題】液晶ディスプレイ製品の外枠を木で製作した木製デジタルサイネージを提供する。【解決手段】木製外枠が設けられた液晶ディスプレイからなる、屋外、室内用デジタルサイネージであって、外枠が、スタンドタイプ、モニタータイプまたは壁掛けタイプである。【選択図】図１
0003212927.tif 000002
【実用新案登録請求の範囲】
【請求項１】
ＬＣＤ  Ｄｉｓｐｌａｙ（液晶ディスプレイ）を利用した、製品の外枠（筐体）の素材が木で製作した製品。
【請求項２】
筐体が、スタンドタイプ、モニタータイプ、壁掛けタイプである請求項１に記載の屋外・室内デジタルサイネージ。
【請求項３】
請求項１に記載の液晶ディスプレイサイズはすべての液晶ディスプレイサイズ。
【請求項４】
請求項１に記載の本体製品にＡＥＤ（自動体外式除細動器）収納庫を設けた製品。
【考案の詳細な説明】
【技術分野】
【０００１】本考案は、ＬＣＤ  Ｄｉｓｐｌａｙ（液晶ディスプレイ）製品の外枠（筐体）の素材を木で製作したものである。
【背景技術】
【０００２】実用新案ＷＤＡ２０１７−００１は、従来のＬＣＤ  Ｄｉｓｐｌａｙ（液晶ディスプレイ）製品の外枠（筐体）で、使用されるプラスティックやスチールから脱却し、木の温かみを生かし、デジタルとアナログを融合した製品である。
【考案の概要】
【考案が解決しようとする課題】
【０００３】デジタル情報表示装置であるデジタルサイネージを如何に和の伝統的なイメージを取り入れて活用できるか？
【課題を解決するための手段】木の自然の素材をそのまま生かしながらデザイン性を加えるか？
【考案の効果】
【０００４】デジタル機器を木の温かみを感じられるものになる。
【図面の簡単な説明】
【０００５】
【図１】ＡＥＤ収納庫付きスタンドタイプ製品
【図２】４２型モニタータイプ製品
【考案を実施するための形態】
【０００６】本考案のシステムの概略図である。図１はモニタータイプ製品、図２はスタンドタイプ横型、縦型製品である。
【産業上の利用可能性】
【０００７】本考案は，和の雰囲気の旅館、ホテル、和食屋、料亭、寿司屋、結婚式場などで、デジタル情報案内として利用される。
【図１】
0003212927.tif 000003
【図２】
0003212927.tif 000004
【手続補正書】
【提出日】平成29年7月14日(2017.7.14)
【手続補正１】
【補正対象書類名】実用新案登録請求の範囲
【補正対象項目名】全文
【補正方法】変更
【補正の内容】
【実用新案登録請求の範囲】
【請求項１】
木製外枠が設けられた液晶ディスプレイからなる、屋外、室内用デジタルサイネージ。
【請求項２】
前期外枠が、スタンドタイプ、モニタータイプまたは壁掛けタイプである、請求項１に記載の屋外、室内用デジタルサイネージ。
【請求項３】
さらにＡＥＤ（自動体外式除細動器）用収納庫を設けてある、請求項１に記載の屋外、室内用デジタルサイネージ。
(57)【要約】      （修正有）【課題】自己脱着が容易にできる止血・躯血バンドを提供する。【解決手段】伸縮性を有するバンド本体６とバンド本体に取り付けたＣ型部材２とを含む止血・躯血バンドであって、バンド本体６は一端の内側に厚肉に形成された押圧部１を有し、他端の内側に面ファスナーフック部４を備え、バンドの外側が面ファスナーループ部５となっており、Ｃ型部材２は半径方向に弾性変形可能である。【選択図】図３
0003212929.tif 000002
【実用新案登録請求の範囲】
【請求項１】
伸縮性を有するバンド本体と、バンド本体に取り付けたＣ型部材を含む止血・躯血バンドであって、バンド本体は一端の内側に厚肉に形成された押圧部を有し、他端の内側に面ファスナーのフック部を備え、バンドの外側が面ファスナーのループ部となっている。Ｃ型部材は半径方向に弾性変形可能であることを特徴とする止血・躯血バンド。
【請求項２】
厚肉の押圧部折り返し端に円柱状の防滑性素材をバンド本体の幅に合わせ取り付けることを特徴とする請求項１記載の止血・躯血バンド。
【考案の詳細な説明】
【技術分野】
【０００１】  この考案は、特に透析後の止血に用いられるものであって、一人で押圧や巻き付け、脱着が簡単にでき、自己穿刺や不意な出血にも迅速に対処できる止血・躯血バンドに関する。
【背景技術】
【０００２】  止血バンドでは、巻き付ける強さにより血流を阻害してしまうことがある。この場合、圧迫の調整が必要となるが、自己着脱が容易にできないため、一人で圧迫を調整することが簡単ではない、という問題があった。また同じ理由により、自己穿刺や不意な出血への迅速な対処が困難である、という問題もあった。
【先行技術文献】
【特許文献】
【０００３】
【特許文献１】実用新案登録第３１５２６９９号
【考案の概要】
【考案が解決しようとする課題】
【０００４】  本考案の解決しようとする課題は、前記従来技術の問題点を解決するため、自己脱着が容易にできる止血・躯血バンドの提供にある。
【課題を解決するための手段】
【０００５】  本考案は、伸縮性を有するバンド本体と、バンド本体に取り付けたＣ型部材とを含む止血・躯血バンドであって、バンド本体は一端の内側に厚肉に形成された押圧部を有し、他端の内側に面ファスナーのフック部を備え、バンドの外側が面ファスナーのループ状となっており、Ｃ型部材は半径方向に弾性変形可能であることを特徴とする止血・躯血バンド、および厚肉の押圧部の折り返し端に円柱状の防滑性素材をバンド本体の幅に合わせ取り付けることを特徴とする前記記載の止血・躯血バンドの提供により、前記従来技術の問題点を解決することができた。
【考案の効果】
【０００６】  本考案は、弾力性ループ状（腕章状）にすることにより、自己脱着が容易で、家庭透析などの自己穿刺時の止血および躯血としても対応ができる。弾性変形可能なＣ型部材を取り付けているため極度な圧迫を抑え、自己調整もできるため血流を阻害しない。また、抜針の前に穿刺部の圧迫綿を押し当てることができ、不要な出血を防ぐことができる。止血後の不意な出血にも迅速に対応できる。
【図面の簡単な説明】
【０００７】
【図１】Ｃ型部材の形状を示す図である。
【図２】バンド本体の形状を示す図である。
【図３】止血・躯血バンドの断面図である。
【図４】Ｃ型部材をバンド本体に取り付けた状態を示す図。
【図５】止血・躯血バンドの装着を示す図である。
【考案を実施するための形態】
【０００８】  本考案の一実施例を図面に基づいて説明する。
例えば図１に示すような弾性変形可能な材料からなるＣ型部材２を、図２に示すような伸縮性を有する素材からなるバンド本体６の押圧部１を支点として取り付ける。好ましくは図４に示すようにバンド本体６に組み入れる。この時図３に示すように押圧部１はＣ型部材２と重なる事から肉厚が増し装着時の押圧力が高まる。また厚肉の押圧部１の折り返し端に円柱状の防滑性素材を滑り止め材３としてバンド本体６の幅に合わせ取り付けることによって横ずれを防止することができる。
【０００９】  Ｃ型部材２の直径は血流を阻害しない程度に押圧力を得るために通常直径５〜７ｃｍ程度、バンド本体６の幅は穿刺部の圧迫綿を十分に覆うために通常３ｃｍ程度、長さは腕を一周して面ファスナーフック部４と面ファスナーループ部５を圧接により止着するに必要な長さ、通常は２５ｃｍ〜３５ｃｍ程度である。また滑り止め材３は防滑機能を発揮させるために通常直径７〜１０ｍｍ程度であり、素材はシリコンが好ましい。
【実施例】
【００１０】  装着は抜針の前に止血・躯血バンドの厚肉に形成された押圧部１を穿刺部の圧迫綿に押し当て、図５に示すようにバンド本体６に組み入れられたＣ型部材２の弾性力で腕を挟み込み軽く手を当て抜針し、バンド本体６内側にある面ファスナーフック部４をバンド本体６外側の面ファスナーループ部５に圧接し止着する。【００１１】  止血・躯血バンドを強く巻き付け過ぎ、押圧力を調整するため、一人で面ファスナーフック部４を外す場合にも、組入れられたＣ型部材２の弾性力により圧迫綿が保持されたまま、過度に圧迫しない程度に面ファスナーフック部４を圧接し止着することで圧迫具合を調整することができる。
【符号の説明】
【００１２】１  押圧部
２  Ｃ型部材
３  滑り止め材
４  面ファスナーフック部
５  面ファスナーループ部
６  バンド本体
【図１】
0003212929.tif 000003
【図２】
0003212929.tif 000004
【図３】
0003212929.tif 000005
【図４】
0003212929.tif 000006
【図５】
0003212929.tif 000007
【手続補正書】
【提出日】平成29年7月26日(2017.7.26)
【手続補正１】
【補正対象書類名】実用新案登録請求の範囲
【補正対象項目名】全文
【補正方法】変更
【補正の内容】
【実用新案登録請求の範囲】
【請求項１】
伸縮性を有するバンド本体と、バンド本体に取り付けたＣ型部材を含む止血・躯血バンドであって、バンド本体は一端の内側に厚肉に形成された押圧部を有し、他端の内側に面ファスナーのフック部を備え、バンドの外側が面ファスナーのループ部となっており、Ｃ型部材は半径方向に弾性変形可能であることを特徴とする止血・躯血バンド。
【請求項２】
厚肉の押圧部折り返し端に円柱状の防滑性素材をバンド本体の幅に合わせ取り付けることを特徴とする請求項１に記載の止血・躯血バンド。
(57)【要約】      （修正有）【課題】様々な過重のフレーム枠をヘッドに取り付けた際の自然落下を防止するヘッド自然落下防止装置を提供する。【解決手段】スクリーンプリント用刷り台のスクリーン枠１を保持するヘッド２と、ヘッドアーム固定部材取り付けベース６上に設けられるヘッドアーム固定部材５と、一端がヘッドに接続され、他端がヘッドアーム固定部材５に接続されるヘッドアーム３と、を備えるヘッドユニットにおけるヘッド自然落下防止装置であって、ヘッドアーム固定金具または前記ヘッドアーム固定部材取り付けベース６に一端が取り付けられる吸着部材固定金具ホルダー７と、吸着部材固定金具ホルダー７の他端に取り付けられる吸着部材固定金具８と、吸着部材固定金具８に取り付けられ、スクリーン枠１、ヘッド２、及び、ヘッドアーム３のいずれかを吸着することが可能な吸着部材９と、を備える。【選択図】図１
0003212922.tif 000002
【実用新案登録請求の範囲】
【請求項１】
ヘッドアーム固定金具５もしくはヘッドアーム固定金具取り付けベース６にブラケットとなる吸着部材固定金具ホルダー７を設け、当該吸着部材固定金具ホルダー７に吸着部材９を取り付ける為の吸着部材固定金具８を取り付け、スクリーン枠固定部材１２３の周囲に１つもしくは複数個の吸着部材９を設置し、ヘッドの自然落下防止と弾性部材４への負担軽減を特徴とするヘッド自然落下防止装置。
【考案の詳細な説明】
【技術分野】
【０００１】  本考案は、スクリーンプリント用刷り台ヘッド周辺に吸着部材を設け、スクリーン枠を保持する際の自然落下防止を主な目的としたスクリーンプリント用刷り台のヘッドに関するものである。
【背景技術】
【０００２】  一般的にスクリーンプリント用刷り台のスクリーン枠保持のヘッドユニットには、弾性部材（コイルスプリングやガスリフト等）が使用されており、重めのフレームを装着した際にヘッドが自然落下する場合には、弾性部材（スプリングやガスリフト）の引っ張る力を強くしてヘッドアームを引く力を強くして自然落下を防止していた。
【考案の概要】
【考案が解決しようとする課題】
【０００３】  弾性部材（スプリングやガスリフト等）の引っ張る力を強くすれば、過重なスクリーン枠をヘッドに装着した際の自然落下はある程度防止できるが、弾性部材（スプリングやガスリフト等）に掛かる負担が大きくなるため弾性部材の早期破損につながったり、ヘッドを下げる際に必要以上に強い力が必要になったりする場合があった。そこで、吸着部材でヘッドアームを固定する事により弾性部材（スプリングやガスリフト等）の引っ張る力が小さくても自然落下の防止が可能となり前述の欠点を解決しようとするものである。
【課題を解決するための手段】
【０００４】  ヘッドアーム固定金具もしくはヘッドアーム固定金具取り付けベース等の周辺にブラケットとなる吸着部材固定金具ホルダーを設け、当該吸着部材固定金具ホルダーに吸着部材を取り付ける為の吸着部材固定金具を取り付け、スクリーン枠固定部材の周囲に１つもしくは複数個の吸着部材を設置することにより、ヘッドの自然落下や弾性部材への過負荷等の問題点を解決している。
【考案の効果】
【０００５】  上述の様に、本考案のヘッド自然落下防止装置は過重なフレームをヘッドに装着しても自然に落下する事が無く作業を効率良く進められるのは勿論、吸着部材によってヘッドが固定されているため弾性部材への負担軽減にも役立つ。さらにフレームの重さに応じて吸着部材の個数を増やす、吸着部材の吸着力を増やす等の工夫をすれば、様々な重さのフレームに対応することが可能である。
【図面の簡単な説明】
【０００６】
【図１】本考案のヘッド自然落下防止装置の一実施例を示す全体図である。
【図２】本装置の一実施例を示す正面図である。
【図３】本装置装着前のスクリーンヘッド周辺を示す側面図である。
【図４】本装置の装着後を示す側面図である。
【考案を実施するための形態】
【０００７】  吸着部材固定金具ホルダー７自体はヘッドアーム固定部材５、又はヘッドアーム固定部材５が固定されているヘッドアーム固定部材取り付けベース６、又はヘッドアーム３等の周囲に固定されている状態であり、その吸着部材固定金具ホルダー７に吸着部材固定金具８を取り付け、吸着部材固定金具８に吸着部材９を取り付ける。これにより、吸着部材９がスクリーン枠固定部材１２３の周囲に設置することができるため、スクリーン枠固定部材１２３を持ち上げた際に吸着部材９の吸着力によってヘッドアーム３やヘッド固定ブラケット１０、ヘッド２等の部分が吸着され、スクリーン枠固定部材１２３全体を上部に固定することが可能となる。スクリーン枠１は様々な重さの物があるうえ、スクリーン枠１にクランプ等を付属させた場合など、その使い方によってもスクリーン枠１を含むスクリーン枠固定部材１２３の重量は非常に重くなる場合がある。しかし、この自然落下防止装置７８９を取り付け、吸着部材９の個数や吸着力等を変える事でどのような重さであってもスクリーン枠固定部材１２３全体を自然落下させることなく上部に保持することが可能となる。
【実施例】
【０００８】  以下、添付図面に従って一実施例を説明する。吸着部材固定金具ホルダー７は吸着部材固定金具８を取り付ける為に、ヘッドアーム固定部材５の両側に設ける。そして、この吸着部材固定金具ホルダー７で吸着部材固定金具８をヘッドアーム３の上空に位置するよう固定する。吸着部材９は本実施例では磁石とし、吸着部材固定金具８の底面に取り付けるとする。この吸着部材９がヘッドアーム３やヘッド固定ブラケット１０、ヘッド等と吸着することにより固定され、スクリーン枠固定部材１２３の自然落下が防止される。マグネットストッパー７８９は、弾性部材４（スプリングやガスリフト等）と併用して使用することが出来るのは勿論のこと、単独での使用も可能である。
【符号の説明】
【０００９】１スクリーン枠
２ヘッド（スクリーン枠固定金具）
３ヘッドアーム
４弾性部材
５ヘッドアーム固定部材
６ヘッドアーム固定部材取り付けベース
７吸着部材固定金具ホルダー
８吸着部材固定金具
９吸着部材
１０ヘッド固定ブラケット
１２３スクリーン枠固定部材
７８９マグネットストッパー
【図１】
0003212922.tif 000003
【図２】
0003212922.tif 000004
【図３】
0003212922.tif 000005
【図４】
0003212922.tif 000006
【手続補正書】
【提出日】平成29年5月18日(2017.5.18)
【手続補正１】
【補正対象書類名】実用新案登録請求の範囲
【補正対象項目名】請求項１
【補正方法】変更
【補正の内容】
【請求項１】
スクリーンプリント用刷り台のスクリーン枠を保持するヘッドと、ヘッドアーム固定部材取り付けベース上に設けられるヘッドアーム固定部材と、一端が前記ヘッドに接続され、他端が前記ヘッドアーム固定部材に接続されるヘッドアームと、を備えるヘッドユニットにおけるヘッド自然落下防止装置であって、前記ヘッドアーム固定金具または前記ヘッドアーム固定部材取り付けベースに一端が取り付けられる吸着部材固定金具ホルダーと、前記吸着部材固定金具ホルダーの他端に取り付けられる吸着部材固定金具と、前記吸着部材固定金具に取り付けられ、前記スクリーン枠、前記ヘッド、及び、前記ヘッドアームのいずれかを吸着することが可能な吸着部材と、を備えることを特徴とするヘッド自然落下防止装置。
(57)【要約】【課題】  本考案は、簡易な構成で履物内の湿気を容易に吸収することができる足裏シートを提供することを目的とする。【解決手段】  足裏の形状に対応するように形成されたシート状部材２０と、シート状部材２０の足裏接触面側２０Ａに、シート状部材２０より小さい面積を有するように形成され、湿気を吸収するための湿気吸収層３０と、シート状部材２０の履物接着面側２０Ｂのうち、所望の領域に選択的に形成され、シート状部材２０を履物の内底や中敷きに接着するための接着層４０Ａ〜４０Ｃとを備える。【選択図】  図１
0003212970.tif 000002
【実用新案登録請求の範囲】
【請求項１】
足裏の形状に対応するように形成されたシート状部材と、
前記シート状部材の足裏接触面側に、前記シート状部材より小さい面積を有するように形成され、湿気を吸収するための湿気吸収層と、
前記シート状部材の履物接着面側のうち、所望の領域に選択的に形成され、前記シート状部材を履物の内底や中敷きに接着するための接着層と
を備えることを特徴とする足裏シート。
【考案の詳細な説明】
【技術分野】
【０００１】
本考案は、足裏シートに関する。
【背景技術】
【０００２】
近年、靴などの履物の内底や中敷きに貼り付けられる足裏シートとして、種々のものが提案及び開発されている。
【考案の概要】
【考案が解決しようとする課題】
【０００３】
本考案は、簡易な構成で履物内の湿気を容易に吸収することができる足裏シートを提供することを目的とする。
【課題を解決するための手段】
【０００４】
本考案の足裏シートは、
足裏の形状に対応するように形成されたシート状部材と、
前記シート状部材の足裏接触面側に、前記シート状部材より小さい面積を有するように形成され、湿気を吸収するための湿気吸収層と、
前記シート状部材の履物接着面側のうち、所望の領域に選択的に形成され、前記シート状部材を履物の内底や中敷きに接着するための接着層と
を備える。
【考案の効果】
【０００５】
本考案の足裏シートによれば、簡易な構成で履物内の湿気を容易に吸収することができる。
【図面の簡単な説明】
【０００６】
【図１】本考案の実施の形態による足裏シートの構成を示す平面図及び底面図である。
【考案を実施するための形態】
【０００７】
以下、本考案の実施の形態について図面を参照して説明する。
【０００８】
図１に、本考案の実施の形態による足裏シート１０の構成を示す。このうち、図１（ａ）は、足裏シート１０を上方から視認した場合の平面図を示し、図１（ｂ）は、足裏シート１０を下方から視認した場合の底面図を示す。なお、足裏シート１０は、例えば右足の足裏に対して使用され、左足の足裏に対して使用される足裏シートと左右対称になるように構成されている。
【０００９】
この足裏シート１０は、足裏の形状に対応するように形成されたシート状部材２０を有し、例えば靴などの履物の内底や中敷きに貼り付けられる。なお、この足裏シート１０を適用し得る履物としては、例えば、靴、ブーツ、レインブーツ、サンダル、登山用靴、登山用ブーツ、半長靴など、種々の履物に適用することができる。
【００１０】
シート状部材２０は、素材として、例えば、ポリエステル、ポリエチレン、ポリオレフィン、レーヨン、ポリプロピレン、ポリエステル系不織布、コットン、高分子吸収ポリマー、バージンバルプのうち、いずれか１つ、又は２つ以上を組み合わせたものを使用する。
【００１１】
因みに、シート状部材２０は、例えば、長さ方向における長さが１１ｃｍ〜３０ｃｍ、幅が３ｃｍ〜１５ｃｍ、厚さが１ｍｍ〜１ｃｍの範囲内になるように構成されている。
【００１２】
ところで、シート状部材２０の表面側（すなわち、足裏に接触する足裏接触面側）２０Ａには、履物内の湿気を吸収するための湿気吸収層３０が形成されている。この湿気吸収層２０は、その大きさがシート状部材２０より小さくなるように形成され、例えば、シート状部材２０を縮小した形状や長方形状など、他の種々の形状を使用することができる。
【００１３】
また、湿気吸収層２０は、抗菌加工が施され、素材として、例えばティッシュ又は吸収シートのいずれか一方、若しくは両方を組み合わせたものを使用する。なお、この場合、抗菌加工を施す際に使用される抗菌剤としては、例えばセチルピリジニウムクロリド又は銀のいずれか一方、若しくは両方を組み合わせたものを使用する。
【００１４】
一方、シート状部材２０の裏面側（すなわち、履物の内底や中敷きに接着する履物接着面側）２０Ｂには、図中の枠線部分や直線部分に沿って、例えば、剥がし易い接着剤や接着液を塗布する処理、又は剥離紙を貼り付ける処理を行うことにより、足裏シート１０を履物の内底や中敷きに貼り付けるための接着層４０Ａ〜４０Ｃが形成されている。なお、この場合、直線部分のみに接着層４０Ｂ及び４０Ｃを設けるようにしても良い。
【００１５】
なお、脱臭剤として、例えば、活性炭、備長炭、焼成多孔質鉱物、パルプなどをシート状に加工し、シート状部材２０に重畳して使用することもできる。
【００１６】
従って、この足裏シート１０を履物の内底や中敷きに貼り付けた上で、履物を使用すれば、足裏シート１０が履物の内部の湿気を吸収することから、足や靴下を湿らせることなく、履物の内部を清潔な状態に維持することができる。
【００１７】
また、足裏シート１０の使用を１回限りにすれば、履物の内部で雑菌が増殖することを防止することができ、これにより履物の内部を衛生的に保持することができる。
【００１８】
このように本実施の形態によれば、足裏シート１０を履物の内底や中敷きに貼り付けるだけの簡易な構成で、履物内の湿気を容易に吸収することができる。
【００１９】
すなわち、本実施の形態の足裏シート１０は、足裏の形状に対応するように形成されたシート状部材２０と、シート状部材２０の足裏接触面側２０Ａに、シート状部材２０より小さい面積を有するように形成され、湿気を吸収するための湿気吸収層３０と、シート状部材２０の履物接着面側２０Ｂのうち、所望の領域に選択的に形成され、シート状部材２０を履物の内底や中敷きに接着するための接着層４０Ａ〜４０Ｃとを備える。
【符号の説明】
【００２０】
１０  足裏シート
２０  シート状部材
３０  湿気吸収層
４０  接着層
【図１】
0003212970.tif 000003